(57)【要約】【課題】ズームレンズの手動駆動時のズーム操作部を、そのまま電動駆動するだけでは、余計なトルク負荷を含んだまま、電動ズーム装置で駆動することになり、余分な駆動エネルギーを必要するということがあった。【解決手段】電動ズーム装置が装着可能なズームレンズであって、レンズ側の連動ギアを覆う可動部材を有し、前記電動ズーム装置が装着されていない手動ズーム時において、前記可動部材は、連動ギアを覆い、且つ、ズーム操作環への機械的抵抗を付加し、前記電動ズーム装置が装着されている電動ズーム時において、前記可動部材は、連動ギアを露出させ、且つ、ズーム操作環への機械的抵抗を解放することを特徴とする。【選択図】図１
2018005137.tif 000002
【特許請求の範囲】
【請求項１】
電動ズーム装置が装着可能なズームレンズであって、
レンズ側の連動ギアを覆う可動部材を有し、
前記電動ズーム装置が装着されていない手動ズーム時において、前記可動部材は、連動ギアを覆い、且つ、ズーム操作環への機械的抵抗を付加し、
前記電動ズーム装置が装着されている電動ズーム時において、前記可動部材は、連動ギアを露出させ、且つ、ズーム操作環への機械的抵抗を解放することを特徴とするズームレンズ。
【発明の詳細な説明】
【技術分野】
【０００１】
本発明は、ズームレンズ等に用いられる電動ズーム装置及びパワーズーム装置と、ズームレンズに関する。
【背景技術】
【０００２】
従来より、ズーム機能（焦点距離可変機能）を有するレンズ、所謂、ズームレンズが種々知られている。
【０００３】
これらのズームレンズでは、全光学系の中の「変倍レンズ」の位置を変化させることで焦点距離を変化させており、「変倍レンズ」の位置を変化させる駆動力は、手動または電動のものがある。手動・電動の実施形態としては、手動専用のもの、電動専用のもの、手動電動両用のもの等、種々の形態が存在する。
【０００４】
本提案では、通常時は、手動のズームレンズとして使用するレンズに対して、後から装着して、電動ズーム機能を付加する電動ズーム装置と、ズームレンズとについて考える。この様な電動ズーム装置やズームレンズは特許文献１に提案されている。
【先行技術文献】
【特許文献】
【０００５】
【特許文献１】特開2007-108373号公報
【発明の概要】
【発明が解決しようとする課題】
【０００６】
しかしながら、上記特許文献１では、手動ズームレンズの手で操作する「ズームリング」に接する様に、電動駆動する回転体を設けた「電動ズーム装置」を、後付けする構造である。つまり、手動時の操作部を、そのまま電動駆動するだけなので、余計なトルク負荷を含んだまま、電動ズーム装置で駆動することになり、余分な駆動エネルギーを必要するということがあった。前述の「余計なトルク負荷」とは、手動ズームの操作感を良くしたり、移動レンズ枠の位置を保持するために付加している、粘性や摩擦等による機械的抵抗のことである。
【課題を解決するための手段】
【０００７】
上記の課題を解決するために、本発明に係るズームレンズは、
電動ズーム装置が装着可能なズームレンズであって、レンズ側の連動ギアを覆う可動部材を有し、前記電動ズーム装置が装着されていない手動ズーム時において、前記可動部材は、連動ギアを覆い、且つ、ズーム操作環への機械的抵抗を付加し、前記電動ズーム装置が装着されている電動ズーム時において、前記可動部材は、連動ギアを露出させ、且つ、ズーム操作環への機械的抵抗を解放することを特徴とする。
【発明の効果】
【０００８】
本発明に係るズームレンズによれば、ズームレンズに電動ズーム装置を装着した際の駆動エネルギーを少なくできる。さらに、ズームレンズに電動ズーム装置を装着しない場合は、手動ズームの操作感を良くし、移動レンズ枠の位置を保持する性能を実現できる。
【図面の簡単な説明】
【０００９】
【図１】本実施例のズームレンズ鏡筒の図［電動ズーム装置が非装着の状態］
【図２】本実施例のズームレンズ鏡筒の図［電動ズーム装置の装着準備が完了した状態］
【図３】本実施例のズームレンズ鏡筒と電動ズーム装置の図［電動ズーム装置の装着が完了した状態］
【図４】本実施例の「電動ズーム装置」の図
【発明を実施するための形態】
【００１０】
以下、本発明を実施するための形態について、図面を参照しながら説明する。
【００１１】
図１、図２、図３、図４に、本発明の実施形態の図を示す。
【００１２】
＜実施例の実施形態＞
本発明の実施例の構造と動作を説明をする。
【００１３】
図１は本発明の実施形態を説明する図であり、電動ズーム装置が非装着の状態（電動ス゛ーム装置無）のズームレンズ鏡筒の図である。本図の左図は、ズームレンズ断面図である。本図の右図は、X矢印から視た断面X-Xである。本図の右上図は、断面X-Xの上面図である。
【００１４】
図１において、１００は、ズームレンズ鏡筒である。１は、固定の対物レンズである。２は、可動の変倍用レンズであり、１２の可動レンズ枠に固定されている。可動レンズ枠１２には、カムフォロアー部１２aがあり、後述するズームカム環のカム溝に係合している。３は、可動の変倍用レンズであり、１３の可動レンズ枠に固定されている。可動レンズ枠１３には、カムフォロアー部１３aがあり、後述するズームカム環のカム溝に係合している。４は、可動のフォーカス用レンズであり、１４の可動レンズ枠に固定されている。可動レンズ枠１４には、カムフォロアー部１４aがあり、後述するフォーカスカム環のカム溝に係合している。
【００１５】
５は、前部固定筒である。６は、前部固定筒５に対物レンズ１を固定する押え環である。７は、中間固定筒である。８は、後部固定筒である。９は、変倍用のズームカム環である。１０は、ズーム操作環である。ズーム操作環１０は、連結部１０aによって、ズームカム環９と連結しているので、操作者によって、ズーム操作環１０が回されると、ズームカム環９も一緒に回る。ズームカム環９には、光軸方向に所定のリードを持ったカム溝９a、カム溝９bが設けられており、前述のカムフォロアー部１２aと１３aとが、それぞれ、カム溝９aとカム溝９bとに係合しており、可動レンズ枠１２と可動レンズ枠１３とは、ズーム操作環１０の回転によって、対応した位置に移動し、所定の焦点距離（テレ〜ワイド）を実現する。１１は、絞りである。
【００１６】
１５は、焦点調整用のフォーカスカム環である。１６は、フォーカス操作環である。フォーカス操作環１６は、連結部１６aによって、フォーカスカム環１５と連結しているので、操作者によって、フォーカス操作環１６が回されると、フォーカスカム環１５も一緒に回る。フォーカスカム環１５には、光軸方向に所定のリードを持ったカム溝１５aが設けられており、前述のカムフォロアー部１４aが、カム溝１５aに係合しており、可動レンズ枠１４は、フォーカス操作環１６の回転によって、対応した位置に移動し、所定の被写体距離（無限〜至近）を実現する。
【００１７】
１７は、レンズ側マウントである。１８は、外観筒で、固定部品である。１８aは、蝶番であり、外観筒１８と後述する可動部材１９とを、開閉可能に連結している。１９は、外観筒１８の一部に設けられた蓋状の可動部材であり、蝶番１８aによって、開閉可能に取付いている。本図では、可動部材１９が閉じた状態で、外観筒１８に対して、ビス２２（２本）でビス止めされている。さらに、可動部材１９には、板バネ２０が、ビス２１で取付けらているので、
可動部材１９が閉じた状態（＝手動ズーム状態）では、板バネ２０は、チャージ状態で、ズーム操作環１０の端面を押しているので、ズーム操作環１０には、適切な摩擦抵抗が発生している。この摩擦抵抗によって手動ズームの操作感を良くし、移動レンズ枠の位置を保持する性能を実現している。
【００１８】
上記が、本発明の実施例「手動ズーム状態」の構成・動作の説明である。他の実施形態・実施構造として、下記が考えられる。外観筒１８に可動部材１９を設け、蝶番１８aで開閉可能としたが、可動部材１９は、取外し可能な形状としてもよい。
【００１９】
また、可動部材１９は、外観筒１８に対して、光軸方向にスライドするメカ構造でもよい。また、板バネ２０は、板バネでなくてもよく、例えば、潤滑性のある弾性体部材（ゴム等）でもよく、ズーム操作環１０の端面に、適切な摩擦抵抗を発生させる機構でもよい。
【００２０】
図２は本発明の実施形態を説明する図であり、電動ズーム装置の装着準備が完了した状態（電動ス゛ーム装置無）のズームレンズ鏡筒の図である。本図の左図は、ズームレンズ断面図である。本図の右図は、X矢印から視た断面X-Xである。本図の右上図は、断面X-Xの上面図である。図１と同一部品には、同一部番を付している。図１と異なる部分のみ説明する。
【００２１】
図２において、１９は、外観筒１８の一部に設けられた蓋状の可動部材であり、蝶番１８aによって、開閉可能に取付いている。本図では、可動部材１９が開いた状態であり、外観筒１８に対して、ビス２２（２本）が取り外されて、蝶番１８aの回転軸中心に１８０度回転され、開いた状態となっている。従って、可動部材１９が開いた状態（＝電動ズーム状態）では、板バネ２０は、非チャージ状態となり、ズーム操作環１０の端面を押していた力が解放されるので、ズーム操作環１０への摩擦抵抗も無くなる。この摩擦抵抗が無くなることで、電動ズーム装置を装着した際の駆動エネルギーを少なくできる。
【００２２】
以上が本発明の実施例「電動ズームの装着準備が完了した状態」の構成・動作の説明である。
【００２３】
図４は本発明に用いられる電動ズーム装置の図である。図１、図２と同様に、ズームレンズの光軸基準にして、描いている。本図の左図は、電動ズーム装置の側面図である。本図の右図は、X矢印から視たX矢視図である。本図の右上図は、X矢視図の上面図である。
【００２４】
図４において、２００は、電動ズーム装置の筐体である。２０１は、テレ・ワイドスイッチで、前記筐体２００の表面に配置されており、矢印で示したテレボタンとワイドボタンを有している。下記２０２〜２０５は、前記筐体内部に設けられた構成要素である。
【００２５】
２０２は、モータである。２０３は、モータ出力ギアで、モータ２０２によって回転駆動される出力軸に取付けてある。２０４は、ギアで、ギア前記モータ出力ギア２０３に噛み合っている。２０５は、モータ制御部で、電子回路基板やバッテリー等で構成されている。
【００２６】
操作者が、テレ・ワイドスイッチ２０１のいずれかのボタン（テレまたはワイド）を押すと、テレ信号又はワイド信号が、モータ制御部２０５に入力される。モータ制御部２０５は、それぞれの入力信号に基づいて、モータ２０２を、テレ駆動またはワイド駆動する様に、モータ出力軸を回転させる。その回転力は、モータ出力ギア２０３から、ギア２０４に伝達される。ギア２０４は、ズームレンズ１００のズーム操作環１０に設けられたギア部１０bに噛合わせることで、ズーム操作環１０は、所定の方向に、電動で駆動されることになる。２０６・２０７は、レンズとの取付け部で、前記筐体２００と一体的に設けられている。
【００２７】
図３はズームレンズ鏡筒と電動ズーム装置が組付けられた図である。本図の左図は、ズームレンズ断面図である。本図の右図は、X矢印から視た断面X-Xである。本図の右上図は、断面X-Xの上面図である。図１、図２、図４と同一部品には、同一部番を付している。前述の図と異なる部分のみ説明する。
【００２８】
図３において、可動部材１９が開いた状態では、ズーム操作環１０のギア部１０ｂが露出するので、電動ズーム装置のギア２０４をこの部分に入り込ませ、ギア部１０ｂに噛合わせる。ズームレンズ鏡筒と電動ズーム装置とが、本図のような相互位置関係になるように、ズームレンズ鏡筒の後部固定筒取付け部１８b、１８cと、電動ズーム装置の取付け部２０６の２箇所を、それぞれ、ビス３１で固定し、ズームレンズ鏡筒の後部固定筒取付け部８b、８cと、電動ズーム装置の取付け部２０７の２箇所を、それぞれ、ビス３１で固定する。
【符号の説明】
【００２９】
１  対物レンズ、２  変倍用レンズ、１２  可動レンズ枠、１２a  カムフォロアー部、
３  変倍用レンズ、１３  可動レンズ枠、１３a  カムフォロアー部、
４  フォーカス用レンズ、１４  可動レンズ枠、１４a  カムフォロアー部、
５  前部固定筒、６  押え環、７  中間固定筒、８  後部固定筒、９  ズームカム環、
９a  カム溝、９b  カム溝、１０  ズーム操作環、１０a  連結部、１０b  ギア部、
１１  絞り、１５  フォーカスカム環、１５a  カム溝、１６  フォーカス操作環、
１６a  連結部、１７  レンズ側マウント、１８  外観筒、１８a  蝶番、
１９  可動部材、２０  板バネ、２１  ビス（１本）、２２  ビス（２本）、
３１  ビス（４本）、１００  ズームレンズ鏡筒、２００  電動ズーム装置の筐体、
２０１  テレ・ワイドスイッチ、２０２  モータ、２０３  モータ出力ギア、
２０４  ギア、２０５  モータ制御部、２０６  レンズとの取付け部、
２０７  レンズとの取付け部
【図１】
2018005137.tif 000003
【図２】
2018005137.tif 000004
【図３】
2018005137.tif 000005
【図４】
2018005137.tif 000006